(57)【要約】      （修正有）【課題】剣士の顔面を直接覆わずに飛沫の飛散を抑制できる剣道用の飛沫吸収シールドを提供する。【解決手段】飛沫吸収シールド１０は、飛沫を吸収するシート状の飛沫吸収部材１２と、飛沫吸収部材を支持する支持部材１１とからなり、支持部材は、弾性を有する材料から形成され、両端に、面の内側から面の横金に取り付けるための切り欠き１１ａ、１１ｂを有する。【選択図】図１
0003228171.tif 000002
【実用新案登録請求の範囲】
【請求項１】
飛沫を吸収するシート状の飛沫吸収部材と、前記飛沫吸収部材を支持する支持部材とからなり、
前記支持部材は、弾性を有する材料から形成され、両端にそれぞれ切り欠きを有する、
飛沫吸収シールド。
【考案の詳細な説明】
【技術分野】
【０００１】
本考案は、飛沫吸収シールドに関し、特に剣道用の飛沫吸収シールドに関する。
【背景技術】
【０００２】
新型ウィルス等の感染拡大防止の観点から、一般財団法人全日本剣道連盟では、「対人稽古再開に向けた感染拡大予防ガイドライン」を定めている。このガイドラインによれば、飛沫の飛散防止等のため、稽古を行う者はマスク（以下「面マスク」）の着用が必須とされている。
【先行技術文献】
【非特許文献】
【０００３】
【非特許文献１】「対人稽古再開に向けた感染拡大予防ガイドライン」、一般財団法人全日本剣道連盟、令和2年6月4日、https://www.kendo.or.jp/wp/wp-content/uploads/2020/06/guidelines_for_prevention_of_expamded_infection.pdf
【考案の概要】
【考案が解決しようとする課題】
【０００４】
しかしながら、面マスクを着用した上からさらに防具を着ける場合、防具の着用時に面マスクがずれてしまい、剣士の集中力を削ぐ原因になる。また、面マスクの内側が蒸れてしまうばかりか、汗等により面マスクが湿った場合には、呼吸が困難になり、熱中症予防の観点からも望ましくない。
【０００５】
そこで本考案は、剣士の顔面を直接覆わずに飛沫の飛散を抑制できる剣道用の飛沫吸収シールドを提供することを目的とする。
【課題を解決するための手段】
【０００６】
上記の目的を達成するために、本考案に係る飛沫吸収シールドは、飛沫を吸収するシート状の飛沫吸収部材と、前記飛沫吸収部材を支持する支持部材とからなり、前記支持部材は、弾性を有する材料から形成され、両端にそれぞれ切り欠きを有する。
【考案の効果】
【０００７】
本考案によれば、両端に切り欠きを有する支持部材を面の内側から面金に取り付けるので、面をかぶった剣士の顔面を飛沫吸収部材で直接覆わずに飛沫の飛散を抑制することができる。
【図面の簡単な説明】
【０００８】
【図１】図１は、本考案の実施の形態に係る飛沫吸収シールドの構成を説明する図である。
【図２】図２は、本考案の実施の形態に係る飛沫吸収シールドを構成する支持部材を説明する図である。
【図３Ａ】図３Ａは、本考案の実施の形態に係る飛沫吸収シールドを構成する飛沫吸収部材を展開した状態を示す図である。
【図３Ｂ】図３Ｂは、本考案の実施の形態に係る飛沫吸収シールドを構成する飛沫吸収部材を説明する図である。
【図４】図４は、面シールドの一例を示す図である。
【図５】図５は、防具の内側に面シールドと本実施の形態に係る飛沫吸収シールドを取付けた様子を示す図である。
【図６】図６は、本実施の形態に係る飛沫吸収シールドの使用状態を説明する図である。
【考案を実施するための形態】
【０００９】
以下に本考案の実施の形態に係る飛沫吸収シールドついて、図面を参照して説明する。
【００１０】
図１に示すように、本実施の形態に係る飛沫吸収シールド１０は、飛沫を吸収するシート状の飛沫吸収部材１２と、この飛沫吸収部材１２を支持する支持部材１１とからなる。この例では、飛沫吸収部材１２は平面視で略矩形に形成され、その一辺が筒状に形成されている。支持部材１１は、飛沫吸収部材１２の筒状に形成された部分に、その一端１２ａから挿通されている。
【００１１】
ここで、支持部材１１は、例えばアクリル板など、弾性を有する材料から形成される。図１および図２に示すように、本実施の形態において、支持部材１１は、平面視でやや湾曲した略長方形の形状を有し、略長方形に形成された支持部材１１の短辺の一部を切り欠くことによって、支持部材１１の両端には、それぞれ切り欠き１１ａ、１１ｂが形成されている。後述するように、支持部材１１の切り欠き１１ａ、１１ｂは、面の横金に支持部材１１の両端を固定する役割を果たす。
【００１２】
なお、支持部材１１は、平面視略長方形に形成されつつも、図１および図２に示すように、長辺が緩やかな弧を描くように湾曲している。これは、支持部材１１が面の内側に取り付けられたときに、面の横金および縦金が形成する曲面に沿って固定されるようにするためである。本考案において、支持部材１１は、その長手方向に沿って直線状に形成されていてもよく、必ずしも湾曲していなくてもよい。
【００１３】
一方、飛沫吸収部材１２は、シート状の部材、例えば、天然または人工の繊維からなる布や不織布、または紙などからなる。より具体的には、飛沫吸収部材１２として、タオルやガーゼなどを用いることができる。飛沫の飛散を抑える観点から、飛沫吸収部材１２には、吸湿性を有する材料を用いることが望ましい。
【００１４】
飛沫吸収部材１２は、例えば、図３Ａに示すような縦長のタオルなど、１枚のシート状の部材を半分に折り畳み、図３Ｂに示すような形態としてもよい。また、折り畳んだ部材を、折った側から所定の距離離れた位置１２ｂで縫い合わせて、折った側を筒状に形成してもよい。
【００１５】
全日本剣道連盟のガイドラインに従うならば、本実施の形態に係る飛沫吸収シールドは、既存の面シールドとともに使用することが望ましい。図４に面シールドの一例を示す。面シールド３０は、例えば、アクリル製の板から形成され、両側に切り欠き３０ａ、３０ｂが形成されている。これらの切り欠き３０ａ、３０ｂは、本実施の形態に係る飛沫吸収シールド１０の切り欠き１１ａ、１１ｂと同様に、面の横金に面シールド３
０の両端を固定する役割を果たす。
【００１６】
図５および図６は、面の内側に面シールド３０を取り付け、さらにその上から飛沫吸収シールド１０を取り付けた状態を示しており、図５は、面の内側から見た様子を示し、図６は縦方向の一部断面を示す図である。なお、これらの図においては、面については縦金４０ａおよび横金４０ｂ、並びに面金４０ｃまたは内輪４０ｄのみを図示し、面布団などの他の構成は省略されている。
【００１７】
図５に示すように、面シールド３０は、切り欠き３０ａ，３０ｂがそれぞれ形成されて二股となった両端部がそれぞれ複数の横金４０ｂのうちの１つを挟み込んでいる。同様に、飛沫吸収シールド１０も、支持部材１１の切り欠き１１ａ，１１ｂがそれぞれ形成されて二股となった両端部が、横金４０ｂを挟み込んでいる。このとき面シールド３０および飛沫吸収シールド１０の支持部材１１は、共に面の内側の曲面に沿って湾曲しているので、これらの部材の持つ弾性によって面シールド３０および飛沫吸収シールド１０の支持部材１１は、面の内側に固定される。
【００１８】
その結果、面シールド３０は、面の内側に沿って、正面から見たときに、面を被った剣士の口元から鼻までの領域を覆うように設置される。さらに、面シールド３０と剣士の口元との間の空間に飛沫吸収シールド１０が設置される。この飛沫吸収シールド１０は、飛沫吸収部材１２を剣士の顔面に近接しつつも、多少の空間をもって配置する。したがって、防具を被った剣士から飛沫が飛散することを防止する一方、飛沫吸収部材１２が剣士の顔に触れることはあっても、面マスクのように剣士の口元を直接覆うことはない。
【００１９】
以上のように、本実施の形態に係る飛沫吸収シールド１０によれば、両端に切り欠き１１ａ，１１ｂを有する支持部材１１を面の内側から面金に取り付けるので、面をかぶった剣士の顔面を飛沫吸収部材１２で直接覆わずに飛沫の飛散を抑制することができる。
【符号の説明】
【００２０】
１０…飛沫吸収シールド、１１…支持部材、１１ａ，１１ｂ…切り欠き、１２…飛沫吸収部材。
【図１】
0003228171.tif 000003
【図２】
0003228171.tif 000004
【図３Ａ】
0003228171.tif 000005
【図３Ｂ】
0003228171.tif 000006
【図４】
0003228171.tif 000007
【図５】
0003228171.tif 000008
【図６】
0003228171.tif 000009